(57)【要約】  機器は、携帯機器において画像を取り込み、携帯機器内の画像に透かしを埋め込み、携帯機器の無線インタフェースを介して透かしが埋め込まれた画像を送信し得る。
2010519815.tif 000002
【特許請求の範囲】
【請求項１】
携帯機器において画像を取り込むステップと、
前記携帯機器内の前記画像に透かしを埋め込むステップと、
前記携帯機器の無線インタフェースを介して前記透かしが埋め込まれた画像を送信するステップと、
を含むことを特徴とする方法。
【請求項２】
携帯機器内の画像を取り込む前記ステップは、前記携帯機器内のカメラを使用して携帯機器において画像を取り込むステップを含むことを特徴とする請求項１に記載の方法。
【請求項３】
前記画像に透かしを埋め込む前記ステップは、可視透かしを埋め込むステップを含むことを特徴とする請求項１に記載の方法。
【請求項４】
前記画像に透かしを埋め込む前記ステップは、不可視透かしを埋め込むステップを含むことを特徴とする請求項１に記載の方法。
【請求項５】
前記画像に透かしを埋め込む前記ステップは、離散コサイン変換（ＤＣＴ）透かしとしてコピー保護情報を埋め込むステップを含むことを特徴とする請求項１に記載の方法。
【請求項６】
画像を前記携帯機器にダウンロードするステップと、
前記ダウンロードされた画像から透かしを抽出するステップと、
前記抽出された透かしが前記携帯機器によって前記画像に埋め込まれた透かしであるか否かを決定するステップと、
をさらに含むことを特徴とする請求項１に記載の方法。
【請求項７】
コピー保護の所望レベルを示す入力を受け付けるステップをさらに含むことを特徴とする請求項１に記載の方法。
【請求項８】
透かしを埋め込む前記ステップは、
コピー保護の所望レベルを示す前記入力に基づいて透かしを選択するステップと、
前記携帯機器内の前記画像に前記選択された透かしを自動的に埋め込むステップと、
をさらに含むことを特徴とする請求項７に記載の方法。
【請求項９】
携帯機器に含まれるカメラを使用して前記携帯機器内に画像を生成するステップと、
前記携帯機器内の前記画像を劣化させるステップと、
前記携帯機器の無線インタフェースを介して前記劣化された画像を配信するステップと、
を含むことを特徴とする方法。
【請求項１０】
機器であって、
カメラと、
無線インタフェースと、
前記カメラを使用して前記機器において画像を取り込み、前記画像に透かしを自動的に挿入し、前記無線インタフェースを介して前記透かしを有する画像を他の機器に送信するためのプロセッサと、
を含むことを特徴とする機器。
【請求項１１】
前記機器は携帯電話を含むことを特徴とする請求項１０に記載の機器。
【請求項１２】
前記透かしは著作権透かしを含むことを特徴とする請求項１０に記載の機器。
【請求項１３】
前記透かしは前記機器を識別する情報を含むことを特徴とする請求項１０に記載の機器。
【請求項１４】
前記透かしは秘密鍵に基づいてメッセージを符号化する透かしを含むことを特徴とする請求項１０に記載の機器。
【請求項１５】
前記透かしは前記画像を認証する透かしを含むことを特徴とする請求項１０に記載の機器。
【請求項１６】
前記透かしは、画像に挿入されるとき、該画像が修正された後の画像から回復され得る透かしを含むことを特徴とする請求項１０に記載の機器。
【請求項１７】
前記透かしは前記画像の作成者を識別する生体情報を含むことを特徴とする請求項１６に記載の機器。
【請求項１８】
前記透かしに含まれる前記生体情報を提供するための生体センサをさらに含むことを特徴とする請求項１７に記載の機器。
【請求項１９】
携帯機器であって、
カメラと、
無線インタフェースと、
前記カメラを使用して前記携帯機器に画像を生成し、前記画像の品質を自動的に低減し、前記無線インタフェースを使用して前記低減された品質の画像を他の機器に送信するためのプロセッサと、
を含むことを特徴とする携帯機器。
【請求項２０】
無線機器であって、
前記無線機器において画像を取り込む手段と、
前記画像に透かしを取り込む手段と、
前記透かしを有する画像を他の無線機器に転送する手段と、
を含むことを特徴とする無線機器。
【発明の詳細な説明】
【技術分野】
【０００１】
本願明細書に記載される実施態様は、デジタルデータのコピー（複製）保護に関連し、特に、所有の保護および／または真正性の保護のためにデジタルデータを処理する方法および装置に関連する。
【背景技術】
【０００２】
今日のモバイル機器は、写真、ビデオまたはオーディオ・ファイルとして取り込まれる画像あるいは音声を配信する能力を有する。モバイル機器に取り込まれた写真、ビデオ・クリップまたはオーディオ・ファイルが様々な通信媒体（例えば、電子メールサービス、マルチメディア・メッセージング・サービス、または、ブログなどのウェブ投稿サービス）を介して他の機器に配信される場合、作成者はオリジナルを潜在的な著作権侵害にさらし得る。さらに、デジタルデータは改変され得るので、配信された作品が真正であることに依存しない。
【発明の概要】
【課題を解決するための手段】
【０００３】
ある側面によれば、方法は、携帯機器において画像を取り込むステップと、前記携帯機器内の前記画像に透かしを埋め込むステップと、前記携帯機器の無線インタフェースを介して前記透かしが埋め込まれた画像を送信するステップと、を含み得る。
【０００４】
加えて、携帯機器内の画像を取り込む前記ステップは、前記携帯機器内のカメラを使用して携帯機器において画像を取り込むステップを含み得る。
【０００５】
加えて、前記画像に透かしを埋め込む前記ステップは、可視透かしを埋め込むステップを含み得る。
【０００６】
加えて、前記画像に透かしを埋め込む前記ステップは、不可視透かしを埋め込むステップを含み得る。
【０００７】
加えて、前記画像に透かしを埋め込む前記ステップは、離散コサイン変換（ＤＣＴ）透かしとしてコピー保護情報を埋め込むステップを含み得る。
【０００８】
加えて、前記方法は、画像を前記携帯機器にダウンロードするステップと、前記ダウンロードされた画像から透かしを抽出するステップと、前記抽出された透かしが前記携帯機器によって前記画像に埋め込まれた透かしであるか否かを決定するステップと、をさらに含み得る。
【０００９】
加えて、前記方法は、コピー保護の所望レベルを示す入力を受け付けるステップをさらに含み得る。
【００１０】
加えて、透かしを埋め込む前記ステップは、コピー保護の所望レベルを示す前記入力に基づいて透かしを選択するステップと、前記携帯機器内の前記画像に前記選択された透かしを自動的に埋め込むステップと、をさらに含み得る。
【００１１】
他の側面によれば、方法は、携帯機器に含まれるカメラを使用して前記携帯機器内に画像を生成するステップと、前記携帯機器内の前記画像を劣化させるステップと、前記携帯機器の無線インタフェースを介して前記劣化された画像を配信するステップと、を含み得る。
【００１２】
さらに他の側面によれば、機器は、カメラと、無線インタフェースと、を含み得る。前記機器は、前記カメラを使用して前記機器において画像を取り込み、前記画像に透かしを自動的に挿入し、前記無線インタフェースを介して前記透かしを有する画像を他の機器に送信するためのプロセッサをさらに含み得る。
【００１３】
加えて、前記機器は携帯電話を含み得る。
【００１４】
加えて、前記透かしは著作権透かしを含み得る。
【００１５】
加えて、前記透かしは前記機器を識別する情報を含み得る。
【００１６】
加えて、前記透かしは秘密鍵に基づいてメッセージを符号化する透かしを含み得る。
【００１７】
加えて、前記透かしは前記画像を認証する透かしを含み得る。
【００１８】
加えて、前記透かしは、画像に挿入されるとき、該画像が修正された後の画像から回復され得る透かしを含み得る。
【００１９】
加えて、前記透かしは前記画像の作成者を識別する生体情報を含み得る。
【００２０】
加えて、前記透かしに含まれる前記生体情報を提供するための生体センサをさらに含み得る。
【００２１】
さらに他の側面によれば、携帯機器は、カメラと、無線インタフェースと、を含み得る。前記携帯機器は、前記カメラを使用して前記携帯機器に画像を生成し、前記画像の品質を自動的に低減し、前記無線インタフェースを使用して前記低減された品質の画像を他の機器に送信するためのプロセッサをさらに含み得る。
【００２２】
さらに他の側面によれば、無線機器は、前記無線機器において画像を取り込む手段と、前記画像に透かしを取り込む手段と、前記透かしを有する画像を他の無線機器に転送する手段と、を含み得る。
【図面の簡単な説明】
【００２３】
【図１】本願明細書に記載のシステム及び方法が実装され得る例示的なネットワークを示す図である。
【図２】図１の機器の例示的な図である。
【図３】図２の機器の例示的なブロック図である。
【図４】図３のセンサの例示的な機能ブロック図である。
【図５】図３の機器に実装されるか含まれる例示的な構成要素の例示的な機能ブロック図である。
【図６】図５の画像前処理ロジックの例示的な機能ブロック図である。
【図７】画像を配信する前の画像前処理の例示的な処理を示す図である。
【図８】透かし処理のために図５のユーザ・インタフェースで受け付けられ得る種々のユーザ入力を示す図である。
【図９】透かし処理された画像を取得するための例示的な処理を示す図である。
【図１０】透かし処理された画像を提供するための図５の前処理ロジックへの例示的な入力を示す図である。
【図１１】画像の透かしを検出するための例示的な処理を示す図である。
【図１２】図１の機器の他の例示的な図である。
【図１３Ａ】透かしの無い画像を示す図である。
【図１３Ｂ】透かしを示す図である。
【図１３Ｃ】透かし処理された画像を示す図である。
【発明を実施するための形態】
【００２４】
本願明細書に組み込まれその一部を構成する添付の図面は、本願明細書に記載されている１以上の実施態様を示しておりその説明文と共に実施態様を説明する。
【００２５】
以下の詳細な説明は、添付の図面を参照する。異なる図面における同一の参照番号は同一または類似の要素を識別する。本願明細書において用語”カメラ”は、画像および／またはビデオを取り込み格納する機器を含み得る。たとえば、デジタルカメラは、写真フィルムを使用する代わりに画像および／またはビデオを電子的に取り込み格納する電子機器を含み得る。デジタルカメラは、画像と同様に音声および／またはビデオを記録可能な何らかの機器を有し多機能で有り得る。
【００２６】
本願明細書において用語”透かし”は、情報の特徴的部分に関連し、当該情報の特徴的部分は保護または認証を意図してデータに付着されまたは組み込まれる。電子透かしは、データに挿入されるとき、可視／可聴あるいは不可視／不可聴であり得、当該透かしを挿入した人以外は除去が困難で有り得る。
【００２７】
以下の実施態様において、機器は、画像または写真として画像を取り込み得る。当該画像が配信される前に、当該画像は前処理され得る。前処理は、手近な著作権保護、また、取り込まれた画像を簡易にかつ迅速に共有することを望むユーザに対して画像の真正性を維持をユーザに提供するために透かしを埋め込み得る。
【００２８】
＜例示的な機器＞
図１は、本願明細書に記載のシステム及び方法が実装され得る例示的なネットワークを示している。ネットワーク１００は、ネットワーク１０２、無線アクセスポイント１０４、機器１０６を含み得る。実際には、ネットワーク１００は、より少ないまたは追加のネットワーク、無線アクセスポイントおよび／または機器を含み得る。
【００２９】
ネットワーク１０２は、転送元（ソース）機器から転送先（デスティネーション）機器までデータを転送することが出来る、インターネット、イントラネット、ローカル・エリア・ネットワーク、ワイド・エリア・ネットワーク（ＷＡＮ）または公衆交換電話網（ＰＳＴＮ）のような他の種類のネットワークのような１以上のパケット交換網を含み得る。また、ネットワーク１０２は、無線信号を受信し、当該無線信号を目的とする宛先へ転送する１以上の無線ネットワークを含み得る。
【００３０】
無線アクセスポイント１０４は、ネットワーク１０２への／からのゲートウェイとして動作する機器を含み得る。無線アクセスポイント１０４の例は、イーサネット（登録商標）・カードを介してローカル・エリア・ネットワーク（ＬＡＮ）に接続されたパーソナル・コンピュータ、または、ＰＳＴＮに接続された基地局を含み得る。
【００３１】
機器１０６は、無線で通信する能力および／またはカメラとしての機能および／または音声記録機器としての機能を有する、または、１以上のデジタルまたはアナログのカメラおよび／または音声記録機器を含むのに適した、以下の任意の機器を含み得る：無線電話、セルラ無線電話器をデータ処理、ファクシミリおよび／またはデータ通信の機能と結合するパーソナル通信システム（ＰＣＳ）端末、携帯電話、電子ノートパッド、ラップトップ、パーソナル・コンピュータ（ＰＣ）、無線電話器、ページャ、インターネット／イントラネット・アクセス、ウェブ・ブラウザ、オーガナイザ、カレンダおよび／またはＧＰＳ受信機を含むパーソナル携帯情報機器（ＰＤＡ）、無線コンピュータ周辺機器（例えば、無線スピーカ、無線マイク、無線カメラ）、または、本願明細書に記載の機能をサポートする充分なコンピューティング能力およびメモリを有する任意の機器。機器１０６は、無線アクセスポイント１０４を介してネットワーク１０２内の他の機器と通信し得る。
【００３２】
図２は、図１の機器１０６の例示的な図である。図２に示すように、機器１０６は、スピーカ２０２、ディスプレイ２０４、制御ボタン２０６、キーパッド２０８、マイクロホン２１０、カメラ２１２、および、ハウジング２１４を含み得る。スピーカ２０２は、機器１０６のユーザに可聴の情報を提供し得る。ディスプレイ２０４は、ユーザに視覚情報を提供し得る。例えば、ディスプレイ２０４は、着呼または発呼に関する情報、媒体、ゲーム、電話帳、現在時刻、その他を提供し得る。ある実施態様では、ディスプレイ２０４は、通信および画像前処理に関連付けられたさまざまなパラメータを入力するためのグラフィカル・ユーザ・インタフェースをユーザに提供し得る。制御ボタン２０６によって、機器１０６が１以上の動作を実行するようにユーザは機器１０６と相互作用し得る。キーパッド２０８は、標準の電話キーパッドを含み得る。マイクロホン２１０は、ユーザから可聴の情報を受信し得る。カメラ２１２により、ユーザは、ビデオおよび／またはイメージ（例えば画像）を取り込み格納することが可能になるかもしれない。ハウジング２１４は、機器１０６の構成要素にケーシングを提供し、構成要素を外部要素から保護するかもしれない。
【００３３】
図３は、図２の機器１０６の例示的なブロック図である。機器１０６は、メモリ３０２、処理ユニット３０４、入／出力機器３０６、ネットワークインタフェース３０８、ディスプレイ／ビューファインダ２０４／３１０、センサ３１２を有し、通信バス３１４を含み得る。他の実施態様において、機器１０６は、より多くの、より少しの、または、異なる構成要素を含み得る。たとえば、機器１０６がカメラという形をとる場合、機器１０６はフィルムを含み得る。
メモリ３０２には、データおよびマシン可読の命令を格納するための、静的メモリ（例えばリード・オンリー・メモリ（ＲＯＭ））や動的メモリ（例えばランダム・アクセス・メモリ（ＲＡＭ）またはオンボード・キャッシュを含み得る。メモリ３０２はまた、同様に記憶デバイス（例えばフロッピー（登録商標）ディスク、ＣＤ−ＲＯＭ、ＣＤリード・ライト（Ｒ／Ｗ）ディスクおよび／またはフラッシュメモリ、または他のタイプの記憶機器を含み得る。
【００３４】
処理ユニット３０４は、１以上のプロセッサ、マイクロプロセッサ、機器１０６を制御可能な処理ロジックなどを含み得る。入／出力機器３０６は、キーボード、キーパッド、ボタン、マウス、スピーカ、マイクロホン、デジタル・ビデオ・ディスク（ＤＶＤ）ライタ、ＤＶＤリーダ、ＵＳＢライン、カメラおよび／または物理的なイベントまたは現象を機器１０６に関係するデジタル信号にまたはデジタル信号から変換する他のタイプの機器を含み得る。たとえば、カメラは機器１０６に格納される画像を提供し得る。
【００３５】
ネットワークインタフェース３０８は、機器１０６が他の機器および／またはシステムと通信することを可能にするための送受信機のようなメカニズムを含み得る。たとえば、ネットワークインタフェース３０８は、ネットワーク（例えば、インターネット、地上無線ネットワーク、衛星ベースネットワーク、その他を介して通信するためのメカニズムを含み得る。加えてまたは代替で、ネットワークインタフェース３０８は、モデム、ローカル・エリア・ネットワーク（ＬＡＮ）に対するイーサネット（登録商標）・インタフェース、ブルートゥース無線インタフェース、無線ローカル・エリア・ネットワーク（ＷＬＡＮ）、ウルトラ・ワイドバンド（ＵＷＢ）無線インタフェースおよび／または機器１０６を他の機器に接続するインタフェース／コネクションを含み得る。
【００３６】
ディスプレイ／ビューファインダ２０４／３１０は、機器１０６によってスクリーン上の画像として生成される信号を表示可能でありおよび／または当該スクリーンのタップまたはタッチの形で入力を受け付けることが可能である機器を含み得る。加えて、ディスプレイ／ビューファインダ２０４／３１０は、ユーザが対象物および／または以前に取り込んだものの再生を眺めおよび／またはフォーカスするウインドウを提供し得る。ある例では、ディスプレイ／ビューファインダ２０４／３１０は、着呼または発呼に関する情報、媒体、ゲーム、電話帳、現在時刻、その他を提供し得る。ディスプレイ／ビューファインダ２０４／３１０の例は、光学ファインダ（例えば逆テレスコープ）、液晶ディスプレイ（ＬＣＤ）、陰極線管（ＣＲＴ）ディスプレイ、有機発光ダイオード（ＯＬＥＤ）、表面伝導型電子放出素子ディスプレイ（ＳＥＤ）、プラズマディスプレイ、電界放出ディスプレイ（ＦＥＤ）、バイステーブル・ディスプレイおよび／またはタッチスクリーンを含み得る。
【００３７】
センサ３１２は、ユーザおよび／または画像に関連した情報を取得する１以上の機器を含み得る。センサ３１２は、処理ユニット３０４が入／出力機器３０６を制御し画像および他のデジタルデータを処理するように、処理ユニット３０４に情報を提供し得る。
通信バス３１４は、機器１０６中構成要素が互いに通信できるようなインタフェースを提供し得る。
【００３８】
図４は、図３のセンサ３１２の例示的な機能ブロック図である。センサ３１２は、生体センサ４０および他のセンサ４０４を含み得る。生体センサ４０２は、ユーザの生理的または生体的な特徴（例えば指紋、声または網膜パターン）を検出するためのハードウェアおよび／またはソフトウェアを含み得る。生体センサ４０２により提供される情報は、デジタル画像に透かしを埋め込むために機器１０６によって使用され得る。他のセンサ４０４は、画像または音声の取り込みを容易にする、輝度、光、焦点、声、その他を検知し、当該画像および音声に関係する情報を提供するハードウェアおよび／またはソフトウェアを含み得る。たとえば、他のセンサ４０４は、画像を取り込むための光センサ（例えば電荷結合素子）を含み得る。
【００３９】
図５は、図３の機器１０６に実装されるまたは含まれる例示的な構成要素の例示的な機能ブロック図である。機器は、アプリケーション５０２、ユーザ・インタフェース５０４、データベース５０６、画像前処理ロジック５０８および配信前ロジック５１０を含み得る。実際には、機器１０６は、図５に示すものに対して、付加的な、より少ない、または、異なる構成要素を含み得る。
【００４０】
アプリケーション５０２は、機器１０６のさまざまな機能性をサポートするためのハードウェアおよび／またはやソフトウェアを含み得る。たとえば、アプリケーション５０２は、テキスト・メッセージング・サービス、電子メール、マルチメディア・メッセージング・サービス、ブルートゥース通信、赤外線通信、ブログ、ファイルのアップロード及びダウンロード、画像転送、その他をサポートし得る。さらに、これらをサポートするため、アプリケーション５０２は、ユーザ・インタフェース５０４、データベース５０６、画像前処理ロジック５０８および／または配信前ロジック５１０に依存し得る。たとえば、アプリケーション５０２が画像ファイルをネットワーク１０２内の他の機器に送信する（例えば電子メール）場合、アプリケーション５０２は画像前処理ロジック５０８に依存し得る。
【００４１】
ユーザ・インタフェース５０４は、ユーザが、アプリケーション５０２、データベース５０６、画像前処理ロジック５０８および／または配信前ロジック５１０と対話することを可能にするハードウェアおよび／またはソフトウェアを含み得る。たとえば、ユーザ・インタフェース５０４によって、ユーザは、画像が他の機器に送信される場合に当該画像に透かしが挿入されるべきか否かを配信前ロジック５１０に指示し得る。他の例では、ユーザ・インタフェース５０４は、画像前処理ロジック５０８に代わって、透かしの生成または他のタイプの画像前処理の入力パラメータを受け付け得る。さらに他の例では、ユーザ・インタフェース５０４は、機器１０６に、取り込んだ画像を表示するおよび／またはデータベース５０６から画像を除去するように指示する入力を受け付け得る。ユーザが１以上の入力値を提供しない場合、ユーザ・インタフェース５０４は、デフォルトの値（例えば、デフォルトの透かし、例えば（ｃ）の形の著作権通知）を出力し得る。加えて、ユーザ・インタフェース５０４は、互いに矛盾する特定の入力に対しユーザを承認しないかもしれない。たとえば、ユーザ・インタフェース５０４は、ユーザによるディスプレイ／ビューファインダ２０４／３１０での音声ファイルの閲覧の試行を防止するかもしれない。ある実施態様では、ユーザ・インタフェース５０４によって、ユーザは、配信されることになる取り込まれた画像のコピー保護の所望のレベルを特定し得る。
【００４２】
図５の他の要素に戻ると、データベース５０６は、レコード及びファイルを含み得、アプリケーション５０２、ユーザ・インタフェース５０４、画像前処理ロジック５０８および／または配信前ロジック５１０の情報レポジトリとして動作し得る。たとえば、アプリケーション５０２およびユーザ・インタフェース５０４は、データベース５０６へ／から画像及び音声を格納するおよび／または検索するかもしれない。データベース５０６は、メモリ３０２（図３）内に格納され得る。
【００４３】
画像前処理ロジック５０８は、画像を修正（例えば、カラー強調、画質低減、スケーリング、透かし処理）するためのハードウェアおよび／またはソフトウェアを含み得る。
【００４４】
配信前ロジック５１０は、ユーザが画像を送信するまたは配信しようとするのを認識し、ユーザ確認によりまたはよらず、添付された画像を処理済みのバージョンの画像に自動的に置き換えるかもしれない。ある実施態様では、処理済みのバージョンは当該画像の劣化バージョンであり得る。当該画像の劣化バージョンは、ノイズ付加、ピクセル除去、色修正および／またフィルタリングによって導出され得る。劣化バージョンはオリジナル画像の所有を危険にさらすことなく配信され得、後の使用のためデータベース５０６に保存され得る。
【００４５】
代替の実施態様において、配信前ロジック５１０は、各画像の２つのバージョン（前処理された透かしの画像と前処理されていない画像）を保持するかもしれない。電子メール・メッセージ、テキストメッセージまたは他の配信方法により画像を添付する場合にユーザが通常見る画像ファイルは前処理されたコピーで有り得る。前処理されていない画像のコピーは特殊なアプリケーションによりアクセスされ、通常は隠され得る。
【００４６】
他の実施態様において、配信前ロジック５１０は、ユーザにより選択される著作権保護の所望のレベルに従って、適切な透かしを自動的に選択し自動的に挿入し得る。
【００４７】
図６は、図５の画像前処理ロジック５０８の例示的な機能ブロック図である。図示するように、画像前処理ロジック５０８は、離散コサイン変換（ＤＣＴ）透かし挿入器６０２、ＤＣＴ透かし抽出器６０４、最下位ビット（ＬＳＢ）透かし挿入器６０６、ＬＳＢ透かし抽出器６０８および可視透かし挿入器６１０および／または品質低減ロジック６１２を含み得る。実際には、画像前処理ロジック５０８は、種々のタイプのイメージ効果（例えば色温度変更、ホワイトバランス、ディザ処理、フィルタリングおよび離散ウェーブレット変換（ＤＷＴ）透かし追加）を適用するための他の構成要素を含み得る。更に、画像前処理ロジック５０８は、例えばＤＣＴ透かし抽出器６０４および／またはＬＳＢ透かし抽出器６０８の構成要素を省略し得る。
【００４８】
ＤＣＴ透かし挿入器６０２は、画像を周波数成分に分解しユーザおよび／または機器１０６に特定される情報に従って選択された周波数を強調する、画像の透かし処理のためのハードウェアおよび／またはソフトウェアを含み得る。ＤＣＴ透かしにおいては、周波数がメッセージを符号化するので、埋め込まれた透かしは見えないかもしれない、また、
画像が変更（例えばクロップ）されても損なわれないかもしれない。過多の情報をＤＣＴ透かしにより符号化する場合、画像の品質は低減し得る。
【００４９】
ＤＣＴ透かし抽出器６０４は、画像を受け入れ、ＤＣＴ透かし挿入器６０２によって画像に埋め込まれたＤＣＴ透かしを検出するためのハードウェアおよび／またはソフトウェアを含み得る。したがって、ＤＣＴ透かし抽出器６０４は、機器１０６により透かし処理された画像を識別し得る。
【００５０】
ＬＳＢ透かし挿入器６０６には、画像を画像の各ピクセルの最下位ビットに上書きすることによる画像の透かし処理のためのハードウェアおよび／またはソフトウェアを含み得る。ＬＳＢ透かしでは、実質的にある色を類似の他の色に置換するためＬＳＢ透かしは不可視であり得る。
【００５１】
ＬＳＢ透かし抽出器６０８は、画像を受け入れ、当該画像に埋め込まれたＬＳＢ透かしを検出するためのハードウェアおよび／またはソフトウェアを含み得る。ＬＳＢ透かし挿入器６０６およびＬＳＢ透かし抽出器６０８が、透かしを埋め込み抽出するために相補的なエンコーダおよびデコーダを使用する場合、ＬＳＢ透かし抽出器６０８は、画像に有意な変更がされていないとすると、機器１０６で透かし処理された画像を識別し得る。
【００５２】
可視透かし挿入器６１０は、画像の一部を変更（例えば、色を暗くする）することにより画像に透かし処理するためのハードウェアおよび／またはソフトウェアを含み得る。たとえば、可視透かし挿入器６１０は、著作権通知を画像に配置し得る。
【００５３】
品質低減ロジック６１２は、画像の品質を間引きよってまたはノイズ加算によって、低減し得る。品質低減ロジック６１２は、透かしはノイズを含むため、透かし挿入器の１つのタイプとして見ることが出来る。
【００５４】
＜前処理の例示的な処理＞
図７は、画像を配信する前の画像前処理の例示的処理を示している。ブロック７０２では、ユーザ・インタフェース５０４と介して、画像前処理のためのユーザ入力が受け付けられおよび／またはデータベース５０６に格納される。
【００５５】
図８は、透かし関連の前処理のためにおそらく異なる時間にユーザ・インタフェース５０４で受け入れられ得る種々のユーザ入力を示している。入力は、透かしタイプ８０２、透かしメッセージ８０４、生体センサ８０６、および／または秘密鍵８０８を含み得る。透かしタイプ８０２は、どのタイプの透かし挿入器が使用されるかを指定し得る。たとえば、透かしタイプ８０２は、ユーザが図６に示される種々のタイプの中からＤＣＴ透かし挿入器６０２を使用したいことを示すかもしれない。また、ユーザは透かしタイプを選択可能でないかもしれない。この種のシナリオにおいて、画像が他の機器に送信される前に当該画像に透かしは挿入されないかもしれない。
【００５６】
透かしメッセージ８０４は、ユーザが透かしの一部として画像に埋め込みたいメッセージを特定するかもしれない。たとえば、ユーザが”マーティンおよびミカエル（Martin and Mikael）”と入力したとき、画像に埋め込まれる透かしはメッセージ”マーティンおよびミカエル”を含み得る。生体センサ８０６は、どの利用可能な生体センサの出力を透かしに組み込むかを特定しうる。たとえば、ユーザは、網膜スキャナ（不図示）を選択するかもしれない。秘密鍵８０８は、透かしとして埋められるデータを符号化するのに使用される情報を含み得る。加えて、秘密鍵８０８は、同一のユーザによって装置から透かしが生成されたまたは配信されたとき、透かし処理された画像からオリジナルの透かしを復元するのに使用し得る。
【００５７】
図７に戻って、ブロック７０４では、画像は取り込まれ得る。取り込まれた画像は、写真、ビデオ・クリップまたは他の任意のタイプの視覚映像も含み得る。ある実施態様では、画像は、ファイルとして取り込まれ得る。他の実施態様において、画像は、２つの異なるバージョン（前処理された透かしの画像と前処理されていない画像）として取り込まれ得る。
【００５８】
図９は、前処理された画像を取り込むための例示的処理を示している。より詳しくは、図９は、透かし処理された画像を取得するための例示的処理を示す。ブロック９０２では、さまざまな入力が、画像前処理ロジック５０８で受信され得る。図１０に示すように、画像前処理ロジック５０８は、取り込まれた画像１００２、透かしタイプ１００４、透かしメッセージ１００６、生体情報１００８および／または秘密鍵１０１０を受信し得る。取り込まれた画像１００２は、たとえば、カメラ２１２によって生成された画像またはイメージで有り得る。あるいは、取り込まれた画像１００２は、機器１０６によって、他の機器から受信され得る。透かしタイプ１００４、透かしメッセージ１００６および秘密鍵１０１０は、透かしタイプ８０２、透かしメッセージ８０４および秘密鍵８０８によりユーザ・インタフェース５０４に搬送される同一の情報を含み得る。生体情報１００８は、生体センサ８０６に基づいて選択される生体センサ（例えば網膜スキャナ）の出力を含み得る。
【００５９】
ブロック９０４では、透かしメッセージ１００６および生体情報１００８は、結合され得る。ブロック９０６では、当該結合が、透かし挿入器（例えばＤＣＴ透かし挿入器６０２、ＬＳＢ透かし挿入器６０６または可視透かし挿入器６１０）で、取り込まれた画像１００２および透かし処理された画像１０１２を生成する秘密鍵１０１０と共に使用され得る。秘密鍵１０１０を当該結合（すなわち、透かしメッセージ１００６および生体情報１００８）に適用する効果は、ＤＣＴ透かし抽出器６０４またはＬＳＢ抽出器６０８の透かし処理された画像１０１２への適用が、当該画像が透かし処理されているまたは当該透かしのコンテンツであることが明白であることが必須で無いように、取り込まれた画像に当該結合を符号化することである。
【００６０】
種々の実施態様において、透かし処理された画像は、秘密鍵１０１０または生体情報１００８を含まず、著作権記号（例えば（ｃ））および当該取り込まれた画像に対するユーザ名を加えるだけの単純な透かし処理であり得る。この種の透かしは、著作権保護の所望のレベルが低いとき、または、画像の価格交渉の前に画像のプレビューが潜在的バイヤーに配信されるときに使用され得る。画像が合意された期間に外部で使用される場合に不可視透かしが配信画像に追加され得る。
【００６１】
ある実施態様では、透かしの挿入は、機器１０６によって自動的に決定される著作権保護のレベルに従い自動的に実行され得る。たとえば、機器１０６が、画像が多数の人々に配信（例えばブログ）され得ると判定すると、配信の前に当該画像に高い保護レベルの透かしが挿入される。他の例において、機器１０６のユーザが、機器１０６に格納されたアドレス帳の友人／家族と識別した人々に画像を配信することを選択するとき、機器１０６は低いレベルの著作権保護が必要であることを自動的に決定し得る。このように、機器１０６は、予め設定されたパラメータに基づいて著作権保護のレベルを自動的に決定し得る。これらのパラメータは、最初にセットされ、ユーザ・インタフェース５０４を介してユーザにより後で再設定され得る。それから、機器１０６は、保護の所望レベルを自動的に提供し得る。
【００６２】
図７に戻って、ブロック７０６では、取り込まれた画像を配信するユーザ要求が受け入れられ得る。当該要求は、アプリケーション５０２（例えば、電子メール・アプリケーション、ファイル転送アプリケーション、ウェブ投稿アプリケーションおよび／またはネットワーク１０２内の他の機器との情報交換に関連する他のアプリケーション）の１つで生成され得る。
【００６３】
ブロック７０８では、取り込まれた画像を前処理するためのユーザ確認が要求され得る。前処理済み画像がブロック７０４で取り込まれる実施態様において、前処理済み画像がオリジナル画像に沿って生成されるように当該確認は前処理に先立って要求され得る。
【００６４】
ブロック７１０では、前処理済み画像が取得され得る。画像が取り込まれたときに透かし処理された画像を生成する実施態様では、当該透かし処理されたバージョンが検索される。透かし処理された画像がブロック７１０の開始時に存在しない場合、透かし処理されたものは、上述したように図９に整合した方法で生成され得る。
【００６５】
ブロック７１２では、前処理済みの画像のユーザ承認が取得され得る。生成された前処理済みの画像は、ユーザにディスプレイ２０４を介して表示され得、ユーザは表示された画像を承認するかもしれない。前処理済み画像が所望レベルの画質を提供せずユーザ承認が得られない場合、前処理のための種々の入力が受け付けられ得る（ブロック７１４）。ブロック７１０、７１２および７１４は、前処理済み画像が承認されるまで繰り返され得る。
【００６６】
ユーザ承認が得られると、ブロック７１６では、承認された前処理済み画像は、アプリケーション５０２の１つを介して配信され得る。
【００６７】
透かし処理に関してブロック７０２〜７１６が記載されているが、当該ブロックは他のタイプの前処理（例えば画質低減）も適用し得る。
【００６８】
＜透かし検出の例示的な処理＞
合法または不法に関わらず透かし処理されたオリジナルがコピーされるときはいつでも、コピーされた画像は透かしを保持する。このように、画像内の特定の透かしの検出により、当該画像がオリジナルのコピーであることを証明できる。
【００６９】
図１１は、画像の透かしを検出するための例示的な処理を示す。ブロック１１０２では、透かしが検出されることになる画像が透かし検出器を含む機器にダウンロードされる。ある実施態様では、画像は、ＤＣＴ透かし抽出器６０４およびＬＳＢ透かし抽出器６０８を含み得る機器１０６にダウンロードされる。
【００７０】
ブロック１１０４では、潜在的な透かしが画像から抽出され得る。潜在的な透かしを抽出するために、機器１０６の透かし抽出器（すなわちＤＣＴ透かし抽出器６０４およびＬＳＢ透かし抽出器６０８）の１つが当該画像に適用され得る。透かし抽出器のアプリケーションは、秘密鍵（例えば上述の秘密鍵１０１０）を使用して画像に付加された情報の復号を含み得る。抽出された透かしは、データベース５０６に格納された生体情報および透かしメッセージと比較され得る。一致が見つかった場合、図１１の処理は終了し得る。そうでなければ、処理は、他の秘密鍵および／または他の透かし抽出器で、ブロック１１０４に戻りうる。マッチの識別試行のため、一致が見つかるまで、または、全ての透かし抽出器および秘密鍵が比較されるまで処理は継続する。
【００７１】
画像前処理ロジック５０８で画像に付加され得る透かしを検出することによって、透かし抽出器は、当該画像がオリジナルまたは機器１０６により修正されたこと示し得る。
【００７２】
多くの透かし抽出手法と同様に、ＤＣＴ透かし挿入器６０２および／またはＬＳＢ透かし挿入器６０６の何れによって画像に透かしが付加された場合であっても、ＤＣＴ透かし抽出器６０４および／またはＬＳＢ透かし抽出器６０８は画像からオリジナルの透かしを復元することが出来ないかもしれない。透かしが透かし抽出器によって認識出来ないように、画像はフィルタされ修正され劣化しているかもしれない。また、透かしが十分に精巧な手法を有する他のパーティによって意図的に除去されることもあり得る。
【００７３】
＜代替の実施態様＞
図１２は、図１の機器１０６の他の例示的な図である。図１２に示すように、機器１０６は、ビューファインダ１２０２、レンズ・アセンブリ１２０４、フラッシュ１２０６およびセンサ１２０８を含み得る。図１２に示されないが、機器１０６はまた、図２〜６を参照して記載される構成要素を含み得る。
【００７４】
ビューファインダ１２０２は、ユーザに視覚情報を提供し得、機器１０６のユーザが対象物および／または以前に取り込んだものの再生を眺めおよび／またはフォーカスするためのディスプレイ（例えば、陰極線管（ＣＲＴ）、液晶ディスプレイ（ＬＣＤ）または有機発光ダイオード（ＯＬＥＤ）ベースのディスプレイ）を含み得る。
【００７５】
レンズ・アセンブリ１２０４は、所与のまたは選択された範囲からの光を、その範囲の画像が所望の方法で取り込まれられうるように操作するための機器を含み得る。レンズアセンブリ１２０４は、対象物の正しい焦点および当該対象物の映像の所望の拡大率を得、適当な露出を提供するために、自身の処理ユニットにより手動および／または電気機械的に制御され得る。
【００７６】
フラッシュ１２０６は、カメラで使用される任意のタイプのフラッシュ装置を含みうる。たとえば、フラッシュ装置１２０６は、機器１０６に組み込まれるフラッシュ装置、機器１０６と別体のフラッシュ装置、電子キセノン・フラッシュランプ（例えば、キセノンガスで満たされ、短い閃光を発する電気アークを生成するために高圧の電気が印加される管）、マイクロ・フラッシュ（例えば、サブ・マイクロ秒の継続期間の閃光を放出するよう設計された特別な高圧フラッシュ装置）を含み得る。
【００７７】
センサ１２０８は、画像、輝度および焦点に関連した情報を得る１以上の機器を含み得る。センサ３１２により機器１０６に提供される機能に加え、処理ユニット３０４がレンズ・アセンブリ１２０４およびフラッシュ１２０６を制御するように、センサ１２０８は自身の処理ユニットに３０４に対して情報を提供する。他の実施態様では、センサ１２０８は、生体情報を提供するためにビューファインダ１２０２に接続され得る。
【００７８】
図１２には示されないが、機器１０６は、ネットワークインタフェース３０８と類似するネットワークインタフェースを含み、同様に動作し得る。取り込まれた画像（透かしを有する画像と透かしを有さない画像）は、ネットワークインタフェースを介して送信および／または受信され得る。
【００７９】
＜事例＞
以下の事例は、透かしの無い画像、透かし、透かし処理された画像をそれぞれ示す図１３Ａ〜１３Ｃを参照し、画像の前処理に関連する処理を説明する。当該処理は、図７および９を参照して上述した例示的処理と整合している。
【００８０】
マーティンが、彼が彼の機器１０６で撮影した写真をミカエルに写真を送信すると決定したと仮定する。また、マーティンは、可視透かし挿入器６１０を使用し透かしメッセージ”(c) 2007 Mikael Jonsson and Martin Sjolin”をマーティンが機器１０６から送信した任意の画像に埋め込むように機器１０６を設定すると仮定する。加えて、当該機器は、生体センサおよび秘密鍵を使用するよう設定されていないと仮定する。
【００８１】
マーティンは、図１３Ａに示す画像１３０２を取り込む。機器１０６は、ミカエルへの電子メールの添付物として画像１３０２を送信するマーティンの要求を受け入れ、透かしを挿入するか否かの確認をマーティンに要求する。マーティンが確認した場合、機器１０６内の画像前処理ロジック５０８は、図１３Ｃに示す透かし処理された画像１３０６を提供するために、画像１３０２および透かしメッセージ１３０４（図１３Ｂに図示）を使用する。透かし処理された画像１３０６は、著作権通知”(c) 2007 Mikael Jonsson and Martin Sjolin”を含む。
【００８２】
機器１０６は、透かし処理された画像１３０６が満足なものであることの承認をマーティンに要求する。マーティンの承認を受信すると、即座に、透かし処理された画像はミカエルへの電子メールの添付物として送信される。
【００８３】
＜結論＞
前述の実施態様の記載は説明を提供するが、開示される正確な形に実施態様を制限することを意図するものではない。上述の教示を考慮したまたは当該教示の実行から得られる修正および変更が可能である。
【００８４】
例えば、画像に透かし処理をする機器１０６が記載されているが、機器１０６は、音声および／または他のマルチメディア・データの前処理のための構成要素を含むよう変更され得る。前処理された音声および／または他のマルチメディア・データは、機器１０６により転送され得る記録ファイル（例えば、画像ファイル、音楽ファイル、データファイル、その他）として透かし処理され含められ得る。
【００８５】
加えて、図７、図９および図１１においては直列したブロックに関して説明したが、他の実施態様においてブロックの順序は修正され得る。例えば、ブロック７０８および／またはブロック７１０はブロック７０４の直後に実行され得、ブロック７０８および／またはブロック７１２は省略され得る。加えて、非依存のブロック（例えばブロック７０２）は多数の他のブロックと並列に実行され得る動作を表しうる。
【００８６】
加えて、画像を取り込む機器１０６が記載されているが、他の実施態様では、機器１０６は他の機器またはコンピュータ可読の記憶デバイス（例えば、メモリーカード、コンパクトディスク、その他）から、取り込まれた画像を受信し、受信した画像に対して透かし関連の処理を実行するのに使用され得る。
【００８７】
本願明細書に記載の実施態様の側面が、図に示された実施態様においてソフトウェア、ファームウェアそしてハードウェアの多くの異なる形で実施され得ることは明らかである。実施に使用される実際のソフトウェアコードまたは特殊制御ハードウェアは限定するものとして解釈すべきではない。このように、側面の動作および挙動は特定のソフトウェアコードを参照すること無く説明され、本願明細書の記載に基づいて、当該側面を実施するためにソフトウェアおよび制御ハードウェアを設計し得ることは理解されるべきである。
【００８８】
明示的に記載されていない限り、本明細書に使用されている要素、動作または命令は、本明細書に記載の実施態様に重要または本質的なものとして解釈されるべきではない。また、本明細書において、冠詞”a”が使用される場合、１以上の部材を含むことを意図する。１つの部材だけが意図される場合、用語”one”または類似した言い回しが用いられる。更に、句”に基づく（based on）”は、明示的に述べられない限り”少なくとも部分的に基づく（based, at least in part, on）”を意味する。
【００８９】
本明細書において用語”含む／含んでいる（comprises/comprising）”が使用される場合、説明した特徴、数値、工程または要素の存在を特定するのに使用されるが、１以上の他の特徴、数値、工程、要素またはそれらのグループの存在または追加を排除するものではないことは強調されるべきである。
【００９０】
更に、実施態様の各部は１以上の機能を実行する”ロジック”として実現されるかもしれない。当該ロジックは、例えばプロセッサ、マイクロプロセッサ、特定用途向け集積回路またはフィールド・プログラマブル・ゲートアレイのようなハードウェア、ソフトウェア、または、ハードウェアおよびソフトウェアの組合せを含むかもしれない。
【図１】
2010519815.tif 000003
【図２】
2010519815.tif 000004
【図３】
2010519815.tif 000005
【図４】
2010519815.tif 000006
【図５】
2010519815.tif 000007
【図６】
2010519815.tif 000008
【図７】
2010519815.tif 000009
【図８】
2010519815.tif 000010
【図９】
2010519815.tif 000011
【図１０】
2010519815.tif 000012
【図１１】
2010519815.tif 000013
【図１２】
2010519815.tif 000014
【図１３Ａ】
2010519815.tif 000015
【図１３Ｂ】
2010519815.tif 000016
【図１３Ｃ】
2010519815.tif 000017
【手続補正書】
【提出日】平成20年12月15日(2008.12.15)
【手続補正１】
【補正対象書類名】特許請求の範囲
【補正対象項目名】全文
【補正方法】変更
【補正の内容】
【特許請求の範囲】
【請求項１】
携帯機器において画像を取り込むステップと、
前記画像のコピー保護の所望レベルに基づいて前記画像に挿入される透かしのタイプを選択するステップと、
前記携帯機器内の前記画像に前記選択されたタイプの透かしを挿入するステップと、
前記携帯機器の無線インタフェースを介して前記透かしが埋め込まれた画像を送信するステップと、
を含むことを特徴とする方法。
【請求項２】
携帯機器内の画像を取り込む前記ステップは、前記携帯機器内のカメラを使用して前記携帯機器において画像を取り込むステップを含むことを特徴とする請求項１に記載の方法。
【請求項３】
前記画像に透かしを挿入する前記ステップは、可視透かしを前記画像に挿入するステップを含むことを特徴とする請求項１に記載の方法。
【請求項４】
前記画像に透かしを挿入する前記ステップは、不可視透かしを前記画像に挿入するステップを含むことを特徴とする請求項１に記載の方法。
【請求項５】
前記画像に透かしを挿入する前記ステップは、離散コサイン変換（ＤＣＴ）透かしとしてコピー保護情報を前記画像に埋め込むステップを含むことを特徴とする請求項１に記載の方法。
【請求項６】
他の画像を前記携帯機器にダウンロードするステップと、
前記ダウンロードされた画像から透かしを抽出するステップと、
前記抽出された透かしが前記携帯機器によって前記画像に挿入された前記透かしであるか否かを決定するステップと、
をさらに含むことを特徴とする請求項１に記載の方法。
【請求項７】
透かしのタイプを選択する前記ステップは、コピー保護の所望レベルを示すユーザ入力を受け付けるステップをさらに含むことを特徴とする請求項１に記載の方法。
【請求項８】
機器であって、
カメラと、
無線インタフェースと、
前記カメラを使用して前記機器において画像を取り込み、前記画像のコピー保護の所望レベルに基づいて前記画像に挿入される透かしのタイプを選択し、前記画像に前記選択されたタイプの透かしを挿入し、前記無線インタフェースを介して前記透かしを有する画像を他の機器に送信するためのプロセッサと、
を含むことを特徴とする機器。
【請求項９】
前記機器は携帯電話を含むことを特徴とする請求項８に記載の機器。
【請求項１０】
前記透かしは著作権透かしを含むことを特徴とする請求項８に記載の機器。
【請求項１１】
前記透かしは前記機器を識別する情報を含むことを特徴とする請求項８に記載の機器。
【請求項１２】
前記透かしは秘密鍵に基づいてメッセージを符号化する透かしを含むことを特徴とする請求項８に記載の機器。
【請求項１３】
前記透かしは前記画像を認証する透かしを含むことを特徴とする請求項８に記載の機器。
【請求項１４】
前記透かしは、画像に挿入されるとき、該画像が修正された後の画像から回復され得る透かしを含むことを特徴とする請求項８に記載の機器。
【請求項１５】
前記透かしは前記画像の作成者を識別する生体情報を含むことを特徴とする請求項１４に記載の機器。
【請求項１６】
前記透かしに含まれる前記生体情報を提供するための生体センサをさらに含むことを特徴とする請求項１５に記載の機器。
【請求項１７】
前記画像のコピー保護の前記所望レベルを設定するステップと、
前記画像のコピー保護の前記設定された前記所望レベルに基づいて前記画像に挿入される透かしの前記タイプを自動的に選択するステップと、
をさらに含むことを特徴とする請求項１に記載の方法。
【請求項１８】
前記画像のコピー保護の前記所望レベルを設定する前記ステップは、予め設定されたパラメータに基づいて前記画像のコピー保護の前記所望レベルを設定するステップをさらに含むことを特徴とする請求項１７に記載の方法。
【請求項１９】
前記プロセッサは、コピー保護の前記所望レベルを示すユーザ入力に基づいて透かしの前記タイプを選択することを特徴とする請求項８に記載の機器。
【請求項２０】
前記プロセッサは、前記画像のコピー保護の前記所望レベルを設定し、前記画像のコピー保護の前記設定された前記所望レベルに基づいて前記画像に挿入される透かしの前記タイプを自動的に選択することを特徴とする請求項８に記載の機器。
【請求項２１】
前記プロセッサは、予め設定されたパラメータに基づいて前記画像のコピー保護の前記所望レベルを設定することを特徴とする請求項２０に記載の機器。
【手続補正書】
【提出日】平成21年10月14日(2009.10.14)
【手続補正１】
【補正対象書類名】特許請求の範囲
【補正対象項目名】全文
【補正方法】変更
【補正の内容】
【特許請求の範囲】
【請求項１】
携帯機器において画像を取り込むステップと、
前記画像のコピー保護の所望レベルに基づいて前記画像に挿入される透かしのタイプを自動的に選択するステップと、
前記携帯機器内の前記画像に前記選択されたタイプの透かしを自動的に挿入するステップと、
前記携帯機器の無線インタフェースを介して前記透かしが挿入された画像を送信するステップと、
を含むことを特徴とする方法。
【請求項２】
画像を前記携帯機器にダウンロードするステップと、
前記ダウンロードされた画像から透かしを抽出するステップと、
前記抽出された透かしが前記携帯機器によって前記画像に挿入された透かしであるか否かを決定するステップと、
をさらに含むことを特徴とする請求項１に記載の方法。
【請求項３】
機器であって、
カメラと、
無線インタフェースと、
前記カメラを使用して前記機器において画像を取り込み、前記画像のコピー保護の所望レベルに基づいて前記画像に挿入される透かしのタイプを自動的に選択し、前記画像に前記選択されたタイプの透かしを自動的に挿入し、前記無線インタフェースを介して前記透かしを有する画像を他の機器に送信するためのプロセッサと、
を含むことを特徴とする機器。
【請求項４】
前記透かしは秘密鍵に基づいてメッセージを符号化する透かしを含むことを特徴とする請求項３に記載の機器。
【請求項５】
前記透かしは、画像に挿入されるとき、該画像が修正された後の画像から回復され得る透かしを含むことを特徴とする請求項３に記載の機器。
【請求項６】
前記透かしは前記画像の作成者を識別する生体情報を含むことを特徴とする請求項５に記載の機器。
【請求項７】
前記透かしに含まれる前記生体情報を提供するための生体センサをさらに含むことを特徴とする請求項６に記載の機器。
【請求項８】
予め設定されたパラメータに基づいて前記画像のコピー保護の前記所望レベルを設定するステップをさらに含むことを特徴とする請求項１に記載の方法。
【請求項９】
前記プロセッサは、コピー保護の前記所望レベルを示すユーザ入力に基づいて透かしの前記タイプを選択することを特徴とする請求項３に記載の機器。
【請求項１０】
前記プロセッサは、予め設定されたパラメータに基づいて前記画像のコピー保護の前記所望レベルを設定することを特徴とする請求項３に記載の機器。
【国際調査報告】
2010519815.tif 000018
2010519815.tif 000019